(57)【要約】【課題】スロットマシン、パチンコ、あるいはメダルの代わりにパチンコ玉でスロットマシンの遊技をするパロット等の遊技機において、封印される複数の部材同士が接合する隙間をこじ開ける不正行為を抑制することできる。【解決手段】第１部材に設けられた第１封印結合部、及び第２ケース部材に設けられた第２封印結合部と、これらに挿入する封印結合部材と、を備え、この封印結合部材は、第１部材と第２部材を結合するが、第１封印結合部又は第２封印結合部は、その一方のみで該封印結合部材の挿入方向及び抜き取り方向の移動を規制する構造にした。【選択図】図１２
2010252978.tif 000002
【特許請求の範囲】
【請求項１】
遊技機に備えられる第１部材と、
前記第１部材にスライドして装着される第２部材と、
前記第１部材に設けられた第１封印結合部と、前記第２ケース部材に設けられた第２封印結合部と、
前記第１封印結合部と第２封印結合部に、前記スライドして装着する方向と交差する方向に挿入して、前記第１部材と第２部材を結合する封印結合部材と、を備え、
前記封印結合部材は、前記第１部材と第２部材を結合するが、前記第１封印結合部又は第２封印結合部は、その一方のみで該封印結合部材の挿入方向及び抜き取り方向の移動を規制する構造にした、ことを特徴とする遊技機。
【請求項２】
基板を収納し、外部から該基板を視認可能な基板ボックスを有する遊技機であって、
前記遊技機の筺体内に着脱自在に支持された、前記基板ボックスを構成する第１ケース部材及び第２ケース部材と、
前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、
前記第１ケース封印結合部と第２ケース封印結合部に、前記スライドして装着する方向と交差する方向に挿入して、前記第１ケース部材に第２ケース部材を結合する、軸部に係止構造を具備する封印結合部材と、を備え、
前記封印結合部材は、前記第１ケース部材と第２ケース部材を結合するが、前記第１ケース封印結合部又は第２ケース封印結合部は、その一方の封印結合部材挿通孔のみで該封印結合部材の軸部の係止構造により、該封印結合部材の挿入方向及び抜き取り方向の移動を規制する構造にした、ことを特徴とする遊技機。
【請求項３】
基板を収納し、外部から該基板を視認可能な基板ボックスを有する遊技機であって、
前記遊技機の筺体内に着脱自在に支持された、前記基板ボックスを構成する第１ケース部材及び第２ケース部材と、
前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、
前記第１ケース封印結合部と第２ケース封印結合部に、前記スライドして装着する方向と交差する方向に挿入して、前記第１ケース部材に第２ケース部材を結合する封印結合部材と、を備え、
前記封印結合部材は、前記第１ケース部材と第２ケース部材とを結合するが、前記第１ケース封印結合部又は第２ケース封印結合部は、その一方の封印結合部材挿通孔に形成した係止構造のみで該封印結合部材の挿入方向及び抜き取り方向の移動を規制する構造にした、ことを特徴とする遊技機。
【請求項４】
基板を収納し、外部から該基板を視認可能な基板ボックスを有する遊技機であって、
前記遊技機の筺体内に着脱自在に支持された、前記基板ボックスを構成する第１ケース部材及び第２ケース部材と、
前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、
前記第１ケース封印結合部と第２ケース封印結合部に、前記スライドして装着する方向と交差する方向に挿入して、前記第１ケース部材に第２ケース部材を結合する、軸部の係止爪と頭部とを形成した封印結合部材と、を備え、
前記封印結合部材は、前記第１ケース部材と第２ケース部材とを結合するが、前記第１ケース封印結合部又は第２ケース封印結合部は、その一方の封印結合部材挿通孔のみで該封印結合部材の係止爪と頭部により、該封印結合部材の挿入方向及び抜き取り方向の移動を規制する構造にした、ことを特徴とする遊技機。
【請求項５】
前記封印結合部材は、その頭部の一部に複数の舌片状の部材を突出形成した脆弱部を設け、該脆弱部は前記封印結合部材が係止されていない第１ケース封印結合部又は第２ケース封印結合部で破壊されるように構成した、ことを特徴とする請求項４の遊技機。
【請求項６】
前記第２ケース部材の第２ケース封印結合部に、前記封印結合部材の頭部を硬化樹脂材を充填する凹部を形成した、ことを特徴とする請求項４の遊技機。
【発明の詳細な説明】
【技術分野】
【０００１】
本発明は、スロットマシン、パチンコ、あるいはメダルの代わりにパチンコ玉でスロットマシンの遊技をするパロット等の遊技機に係り、特に遊技機の基板を収容する基板ケースを備え、これをこじ開けることができない構造を有する遊技機に関する。
【背景技術】
【０００２】
スロットマシン、パチンコ、パロット等の遊技機には制御基板が備えられており、その制御基板によって電子的に遊技内容の制御を行っている。制御基板は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、その他必要とされる集積回路やインターフェース回路を備えている。制御基板のＲＯＭには、遊技の制御内容を決めるデータが記憶されている。このＲＯＭを交換することにより、遊技の制御内容を変更する。また、制御基板自体を交換し、あるいは制御基板に別なＲＯＭを外付けすることで制御内容を変更する。
【０００３】
例えば特許文献１の特開２００４−８３７３公報「制御基板ユニット」に示すように、制御基板と、制御基板を封止する第１ボックス構造および第２ボックス構造と、第１ボックス構造と一体に形成され、または、第１ボックス構造に固定される第１固定部材と、第２ボックス構造に固定され、第１固定部材の係り合い部にフックされるフック部を有する第２固定部材と、前記第１固定部材および第２固定部材を覆うカバー部材とを含む制御基板ユニットが提案されている。
【特許文献１】特開２００４−８３７３公報
【０００４】
特許文献１の「制御基板ユニット」によれば、遊技機を制御する制御基板を第１ボックスと第２ボックスで収容し、それを結合部材などで封印し、開封するとケースには開封の痕跡が残る。即ち、基板ボックス内側に固定部材があり、基板ボックスの一部を破壊することで固定部材が触れるようになり、基板ボックスの連結を解除できるようになる。そのため、基板ボックスの一部の破壊が開封の痕跡として残るようになっている。
【発明の開示】
【発明が解決しようとする課題】
【０００５】
従来の構造では、主基板ケース上下の封印結合部の隙間をこじ開けることで、封印を結合するための部材を抜き取られる可能性があった。
【０００６】
本発明は、かかる問題点を解決するために創案されたものである。すなわち、本発明の目的は、封印される複数の部材同士が接合する隙間をこじ開ける不正行為を抑制することができる遊技機を提供することにある。
【課題を解決するための手段】
【０００７】
請求項１に記載の発明は、遊技機に備えられる第１部材と、前記第１部材にスライドして装着される第２部材と、前記第１部材に設けられた第１封印結合部と、前記第２ケース部材に設けられた第２封印結合部と、前記第１封印結合部と第２封印結合部に、前記スライドして装着する方向と交差する方向に挿入して、前記第１部材と第２部材を結合する封印結合部材と、を備え、前記封印結合部材は、前記第１部材と第２部材を結合するが、前記第１封印結合部又は第２封印結合部は、その一方のみで該封印結合部材の挿入方向及び抜き取り方向の移動を規制する構造にしたことを特徴とする。
【０００８】
請求項２に記載の発明は、基板を収納し、外部から該基板を視認可能な基板ボックスを有する遊技機であって、前記遊技機の筺体内に着脱自在に支持された、前記基板ボックスを構成する第１ケース部材及び第２ケース部材と、前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、前記第１ケース封印結合部と第２ケース封印結合部に、前記スライドして装着する方向と交差する方向に挿入して、前記第１ケース部材に第２ケース部材を結合する、軸部に係止構造を具備する封印結合部材と、を備え、前記封印結合部材は、前記第１ケース部材と第２ケース部材を結合するが、前記第１ケース封印結合部又は第２ケース封印結合部は、その一方の封印結合部材挿通孔のみで該封印結合部材の軸部の係止構造により、該封印結合部材の挿入方向及び抜き取り方向の移動を規制する構造にしたことを特徴とする。
ここでの「結合」とは、第１ケース部材（第１部材）に第２ケース部材（第２部材）を装着する方向とは反対の方向へ移動することを抑制することを意味する。「規制する」とは、係止爪、ねじ、接着剤あるいはこれらの組み合わせにより、封印結合部材をその挿入方向又は抜き取り方向への移動を阻止することを意味する。
【０００９】
請求項３に記載の発明は、基板を収納し、外部から該基板を視認可能な基板ボックスを有する遊技機であって、前記遊技機の筺体内に着脱自在に支持された、前記基板ボックスを構成する第１ケース部材及び第２ケース部材と、前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、前記第１ケース封印結合部と第２ケース封印結合部に、前記スライドして装着する方向と交差する方向に挿入して、前記第１ケース部材に第２ケース部材を結合する封印結合部材と、を備え、前記封印結合部材は、前記第１ケース部材と第２ケース部材とを結合するが、前記第１ケース封印結合部又は第２ケース封印結合部は、その一方の封印結合部材挿通孔に形成した係止構造のみで該封印結合部材の挿入方向及び抜き取り方向の移動を規制する構造にしたことを特徴とする。
【００１０】
請求項４に記載の発明は、基板を収納し、外部から該基板を視認可能な基板ボックスを有する遊技機であって、前記遊技機の筺体内に着脱自在に支持された、前記基板ボックスを構成する第１ケース部材及び第２ケース部材と、前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、前記第１ケース封印結合部と第２ケース封印結合部に、前記スライドして装着する方向と交差する方向に挿入して、前記第１ケース部材に第２ケース部材を結合する、軸部の係止爪と頭部とを形成した封印結合部材と、を備え、前記封印結合部材は、前記第１ケース部材と第２ケース部材とを結合するが、前記第１ケース封印結合部又は第２ケース封印結合部は、その一方の封印結合部材挿通孔のみで該封印結合部材の係止爪と頭部により、該封印結合部材の挿入方向及び抜き取り方向の移動を規制する構造にしたことを特徴とする。
【００１１】
請求項５に記載の発明は、前記封印結合部材は、その頭部の一部に複数の舌片状の部材を突出形成した脆弱部を設け、該脆弱部は前記封印結合部材が係止されていない第１ケース封印結合部又は第２ケース封印結合部で破壊されるように構成にしたことを特徴とする。
更に、該舌片状の部材は、封印結合部材の挿入方向と交差する方向へ突出したものである。
請求項６に記載の発明は、前記第２ケース部材の第２ケース封印結合部に、前記封印結合部材の頭部を硬化樹脂材を充填する凹部を形成したことを特徴とする。
【発明の効果】
【００１２】
請求項１から４に記載の発明では、第１ケース封印結合部（第１部材封印結合部）と第２ケース封印結合部（第２部材封印結合部）とに挿入するピン等の封印結合部材は、第１ケース部材（第１部材）に第２ケース部材（第２部材）を結合する機能は奏するが、第１封印結合部又は第２封印結合部の一方のみで固定されているため、その封印結合部の隙間に工具を差し込んでこじ開けても、この隙間部分は撓み、あるいは変形するが、封印結合部材を外すことができない。
【００１３】
請求項５に記載の発明では、ピン等の封印結合部材の頭部等に脆弱部を形成したものは、基板ボックス（第１ケース部材と第２ケース部材）をこじ開けるときに、封印結合部材の脆弱部が第１ケース部材又は第２ケース部材により破損する。
【００１４】
請求項６に記載の発明では、第２ケース封印結合部の凹部等の所定部位に硬化樹脂材を塗布又は充填して、封印結合部材の頭部等を被覆しているために、この除去できなくて残った硬化樹脂材に対して再度、硬化樹脂を流し込んでも、硬化樹脂材の界面ができるため、その違いが分かりやすい。
【図面の簡単な説明】
【００１５】
【図１】スロットマシン１の正面図である。
【図２】スロットマシン１の前面扉３が閉じた状態を示す全体斜視図である。
【図３】前面扉３の背面図である。
【図４】スロットマシン１の筐体２内部の正面図である。
【図５】可動ベース部２０３が起立姿勢位置に位置決め保持された状態の主基板ユニット１００を示す分解斜視図である。
【図６】主基板ユニット１００の斜視図である。
【図７】主基板ケース上の斜視図である。
【図８】主基板ケース上の正面図である。
【図９】主基板ケース下の斜視図である。
【図１０】主基板ケース下の正面図である。
【図１１】封印結合部材１３０を示す拡大図であり、（ａ）は頭部からの斜視図、（ｂ）は正面図、（ｃ）は側面図、（ｄ）は平面図、（ｅ）は軸部からの斜視図である。
【図１２】封印結合部材１３０を封印結合部１１５，１２４に差し込む状態を示す拡大断面図であり、（ａ）は封印結合部１１５，１２４を差し込む前の状態、（ｂ）は封印結合部１１５，１２４を差し込んだ後の状態である。
【図１３】封印結合部材１３０の頭部に硬化樹脂材Ｒを充填した状態を示す拡大断面図である。
【図１４】封印結合部材１３０の変形例を示す部分拡大断面図である。
【図１５】主基板ケース下１２０の封印結合部１２４を主基板ケース上１１０の封印結合部１１５に組み付ける状態を示す拡大断面図であり、（ａ）は主基板ケース下１２０に主基板ケース上１１０を組み付ける状態、（ｂ）は組み付けた後の状態である。
【図１６】二重封印結合外部材１３１を示す拡大図であり、（ａ）は側面図、（ｂ）は正面図、（ｃ）は平面図、（ｄ）は裏返した状態の斜視図である。
【図１７】二重封印結合内部材１３２を示す拡大図であり、（ａ）は側面図、（ｂ）は正面図、（ｃ）は平面図、（ｄ）は頭部からの斜視図である。
【図１８】二重封印結合外部材１３２に二重封印結合内部材１３１を差し込んだ状態を示す拡大図であり、（ａ）は頭部からの斜視図、（ｂ）は平面図、（ｃ）は側面図である。
【図１９】二重封印結合部材１３１，１３２を封印結合部１２６に差し込む状態を示す拡大断面図であり、（ａ）は二重封印結合外部材１３１を差し込む前の状態、（ｂ）は二重封印結合外部材１３１を差し込んだ後の状態、（ｃ）は二重封印結合内部材１３２を差し込む前の状態、（ｄ）は二重封印結合内部材１３２を差し込んだ後の状態である。
【図２０】封印部材の使用順番を示す説明図である。
【図２１】従来のスロットマシンに備えられた主基板ユニットを示す分解斜視図である。
【図２２】（ａ）は従来の主基板ユニットを示す部分正面図、（ｂ）はＡ−Ａ線拡大断面図である。
【図２３】（ａ），（ｂ），（ｃ），（ｄ），（ｅ）と（ｆ）は従来の主基板ユニットから封印結合ピンを外す状態を示す動作説明断面図である。
【発明を実施するための最良の形態】
【００１６】
本発明の遊技機を構成する基板ボックスは、例えば基板ケース下のケース下封印結合部と、ケース下封印結合部に連通する基板ケース上のケース上封印結合部とから成り、ピン等の封印結合部材は、基板ケース下と基板ケース上を結合するが、基板ケース下のケース下封印結合部又は基板ケース上のケース上封印結合部は、その一方のみの挿通孔の端縁でこの封印結合部材を固定する構造である。
【実施例１】
【００１７】
以下、本発明の好ましい実施の形態を図面を参照して説明する。
図１はスロットマシン１の正面図である。図２はスロットマシン１の前面扉３が閉じた状態を示す全体斜視図である。図３は前面扉３の背面図である。図４はスロットマシン１の筐体２内部の正面図である。
本発明の遊技機の一例であるスロットマシン１は、図１及び図２に示すように、筐体２と前面扉３を備えている。筐体２は、スロットマシン１の骨格をなす部材であり、図４に示すように、天板２ａ、底板２ｂ、背板２ｃ、左側板２ｄ、右側板２ｅからなり、筐体２正面側が開放された箱形状を有している。
【００１８】
前面扉３は、図３に示すように、左端側の上下複数カ所がヒンジ５によって筐体２に取り付けられ、上下方向に延在する揺動中心軸線を中心として水平に揺動自在に支持され、横方向の揺動によって筐体２の正面側を開閉するように構成されている。
【００１９】
前面扉３の右端部には、筐体２に対して前面扉３を閉鎖して施錠状態とする施錠装置６と、その施錠装置６による施錠状態を解除して前面扉３を開放するためのキーシリンダ７（図１及び図２を参照）が設けられている。
【００２０】
前面扉３の中央部上寄り位置には、図１及び図２に示すように、遊技者に遊技状態を示す遊技パネル８が設けられている。遊技パネル８には、横長の表示窓９が形成されている。表示窓９は透明又は半透明な材質によって構成されており、各表示窓９を介してリール５２ａ，５２ｂ，５２ｃを視認できるようになっている。
【００２１】
遊技パネル８の下方左側には、各リール５２ａ，５２ｂ，５２ｃの回転を開始させるために操作されるスタートレバー１１が設けられている。スタートレバー１１は、揺動操作によって各リール５２ａ，５２ｂ，５２ｃの回転開始を指示する信号を出力する。
【００２２】
スタートレバー１１の右側には、回転している各リール５２ａ，５２ｂ，５２ｃを個別に停止させるためのストップボタン１２がそれぞれ設けられている。各ストップボタン１２は、停止させるリール５２ａ，５２ｂ，５２ｃが表示される表示窓９の下方位置に対応して各々配置されており、押し操作によってリール５２ａ，５２ｂ，５２ｃの回転停止を指示する信号を出力する。
【００２３】
各ストップボタン１２には、各リール５２ａ，５２ｂ，５２ｃの停止操作が可能であるか否かを表示するための発光ランプが内蔵されており、リール５２ａ，５２ｂ，５２ｃの回転速度が一定になって回転を停止させることが可能な状態になると点灯し、リール５２ａ，５２ｂ，５２ｃの回転が停止すると消灯される。
【００２４】
遊技パネル８の下方右側には、コイン投入口２１が設けられている。コイン投入口２１から投入されたコインは、図３に示すように、前面扉３の背面に設けられたセレクタ２２によって貯留用通路２３か排出用通路２４のいずれかに案内される。セレクタ２２は、通路切替用のソレノイドを有しており、非励磁時に排出用通路２４側とし、励磁時に貯留用通路２３側に切り換える動作を行う。
【００２５】
貯留用通路２３に案内されたコインは、筐体２内に収容されたホッパ装置に供給され、排出用通路２４に案内されたコインは、前面扉３の前面下部に設けられたコイン排出口２５（図１及び図２を参照）からコイン受け皿２６に排出されて遊技者に返還される。
【００２６】
コイン投入口２１の下方には、図１及び図２に示すように、コイン返却スイッチ１３が設けられている。コイン返却スイッチ１３は、コイン投入口２１に投入されたコインがセレクタ２２内に詰まった際に押し操作することにより、セレクタ２２を機械的に動作させて、セレクタ２２内のコインを強制的に排出用通路２４内（図３を参照）に導き、コイン排出口２５からコイン受け皿２６に排出させることができる。
【００２７】
表示窓９の下方左側には、ボタン１４が設けられている。更に、３枚投入用のベットボタン１４の左方には、クレジットされた仮想コインを２枚投入するための２枚投入用のベットボタンと、１枚投入するための１枚投入用ベットボタンが設けられることがある。
【００２８】
スタートレバー１１の左側にはクレジット精算ボタン１７が設けられている。クレジット精算ボタン１７は、予め設定された最大枚数、例えば５０枚となるまでの余剰の投入コイン数や入賞時に獲得した獲得コイン数を電子的に記憶する貯留モード（クレジット機能）と、獲得コイン数を記憶せずに払い出す払出モードとを切り替えるように構成されている。
【００２９】
例えば、クレジット精算ボタン１７が１回操作されると、貯留モードとなり蓄積されたコインの枚数の記憶が開始され、再び操作されると貯留モードが解除されて払出モードとなり記憶させた枚数分のコインが実際に排出される。
【００３０】
表示窓９の下方中央には、クレジットモード時に有効化されて貯留記憶されたコイン数を表示する残数表示部３１と、獲得コインの枚数を表示する獲得枚数表示部３３とがそれぞれ設けられている。
【００３１】
前面扉３の上部には、遊技の進行に伴って点灯・点滅する上部ランプ３４と、画像・映像等によって種々の情報を表示する液晶表示部３５が設けられている。そして、コイン受け皿２６の上方には、スロットマシン１の機種名や遊技に係わるキャラクタなどが表示された下段プレートが装着されている。また、コイン受け皿２６の左側には灰皿３７が設けられている。そして、コイン排出口２５の左右両側位置には、遊技の進行に伴って種々の効果音を鳴らしたり、遊技者に遊技の状態を報知する左右一対のスピーカ３８が設けられている。
【００３２】
筐体２は、図４の正面図に示すように、仕切板２ｆによってその内部が上下に２分割されており、仕切板２ｆの上部には、リールユニット５１が取り付けられている。リールユニット５１は、円筒状に形成された左リール５２ａ、中央リール５２ｂ、左リール５２ｃを備えており、各リール５２ａ，５２ｂ，５２ｃは、その中心軸線が回動中心軸線となるように、リールユニット５１のベースに回転自在に支持されている。各リール５２ａ，５２ｂ，５２ｃの回転中心軸線は、筐体２の横幅方向に略水平に左右に延びる同一軸線上に配置されている。
【００３３】
各リール５２ａ，５２ｂ，５２ｃの表面には、周回方向に所定間隔をおいて複数種類の図柄が表示されており、一つの表示窓９内から３つの図柄が視認できるように配置されている。そして、リール５２ａ，５２ｂ，５２ｃの正転により、各表示窓９には各種図柄が上から下に向かって移動しているように映し出される。
【００３４】
各リール５２ａ，５２ｂ，５２ｃは、個々にステッピングモータ（図示せず）に連結されており、各ステッピングモータにより別個独立して回転駆動され、リール表面の図柄が各表示窓９から視認可能な位置に停止される。
【００３５】
仕切板２ｆの下方位置には、ホッパ装置６１が配設されている。ホッパ装置６１は、コインを貯留する貯留タンク６２と、コインを払い出す払出装置６３を備えている。払出装置６３は、図示していないコイン払出用回転板を回転させることによって、貯留タンク６２から所定枚数のコインを排出し、排出用通路２４を介してコイン受け皿２６にコインを払い出す。
【００３６】
ホッパ装置６１の右方には、貯留タンク６２内に所定量以上のコインが貯留されることを回避するための予備タンク６４が設けられている。ホッパ装置６１の貯留タンク６２には、貯留タンク６２内のコインを予備タンク６４へ誘導する誘導プレート（図示せず）が設けられている。誘導プレートは、その誘導プレートが設けられている高さ以上に貯留タンク６２内にコインが貯留された場合に、コインを案内して貯留タンク６２から予備タンク６４内に導き、予備タンク６４内に貯留するようになっている。
【００３７】
筐体２内におけるホッパ装置６１の左方には、電源ボックス７１が収容されている。電源ボックス７１は、正面側に開閉扉７２が設けられており、その開閉扉７２を開くことで露出される正面部には、電源スイッチが設けられている。電源スイッチは、操作することによって主制御装置を始めとする各部に電源を供給するためのものである。
【００３８】
リセットスイッチ及び設定キー挿入孔（いずれも図示せず）は主基板に搭載されている。リセットスイッチは、スロットマシンの各種状態をリセットするためのスイッチである。リセットスイッチは、押し状態で電源スイッチをオンにすることによって、スロットマシン内のバックアップデータをリセットでき、また、電源スイッチがオンにされている状態でリセットスイッチを押した場合には、エラー状態をリセットできるようになっている。設定キー挿入孔は、設定キーを挿入するためのキー孔であり、ホール管理者等が設定キーを挿入して、スロットマシン１の設定状態を設定１から設定６まで変更できるようになっている。
【００３９】
リールユニット５１の上方には、中継基板（接続基板）８１を間に介在させて、主基板ユニット１００が設けられている。中継基板８１は、リールユニット５１の上面に沿って左右方向に亘って延在して配設されており、中継基板８１の上面には、配線コードが接続されている。配線コード８２は、中継基板８１から上方に延出し、主基板ユニット１００の主制御装置１０１に接続されている。
【００４０】
主基板ユニット１００は、スロットマシン１の制御を行う主制御装置１０１と、主制御装置１０１を筐体２内の背板２ｃに取付支持する台座装置２０１とを備えている。
【００４１】
以下、主基板ユニット１００の構成について図５〜図１０に基づき詳細に説明する。なお、図示例では主基板ユニット１００について説明しているが、遊技内容の制御を行う主基板以外に、遊技内容以外の制御行う副基板ユニット（サブ基板ユニット）についても本発明を組み付けることができる。
【００４２】
図５は可動ベース部２０３が起立姿勢位置に位置決め保持された状態の主基板ユニット１００を示す分解斜視図である。図６は主基板ユニット１００の斜視図である。図７は主基板ケース上の斜視図である。図８は主基板ケース上の正面図である。図９は主基板ケース下の斜視図である。図１０は主基板ケース下の正面図である。
主基板ユニット１００の台座装置２０１は、筐体２の背板２ｃに固定される固定ベース部２０２と、固定ベース部２０２に支持されて水平に延在する回動中心軸線を回動中心とした上下に回動可能な可動ベース部２０３とを備えている。
【００４３】
台座装置２０１は、主制御装置１０１を回動中心軸線に直交する方向に往復移動自在に案内し、主制御装置１０１を、回動中心軸線に接近する方向に移動させることによって可動ベース部２０３に保持し、回動中心軸線から離間する方向に移動させることによって可動ベース部２０３から取り外し可能な保持手段２０４を備えている。
【００４４】
また、台座装置２０１は、図５及び図６に示すように、可動ベース部２０３を起立姿勢位置と傾倒姿勢位置に選択的に配置して位置決め保持する起立姿勢位置決め保持手段２０５と傾倒姿勢位置決め保持手段２０６を備えている。
【００４５】
主制御装置１０１は、例えば表裏一対の主基板ケース体１１０、１２０によって構成される基板ボックス１０２と、これら各主基板ケース体１１０、１２０の間に挟まれる形で基板ボックス１０２に収容される横長矩形の平板形状を有した主基板（回路基板）１０３とを備えている。
【００４６】
基板ボックス１０２は、主基板１０３の外形に合わせるように横長の矩形状を有しており、台座装置２０１の保持手段２０４によって可動ベース部２０３に着脱自在に装着できるようになっている。
【００４７】
そして、主制御装置１０１を保持手段２０４によって保持させた状態で可動ベース部２０３を回動させて、起立姿勢位置に位置決め保持することにより、基板ボックス１０２が筐体２の背板２ｃに沿って平行に延在して基板ボックス１０２内の主基板１０３の表面を筐体２の正面側から視認可能とする。一方、可動ベース部２０３を回動させて、傾倒姿勢位置に配置することにより、基板ボックス１０２が筐体２の正面側に傾倒して基板ボックス１０２内の主基板１０３の裏面を筐体２の正面側から視認可能とするようになっている。
【００４８】
固定ベース部２０２は、金属製の板状部材を折曲加工することによって形成されており、例えば図５に示すように、基板ボックス１０２よりも一回り大きな横長矩形で上下に延在する平板状の底板部２１１を有している。
【００４９】
底板部２１１の左端部及び右端部には、台座装置２０１を筐体２内で背板２ｃに沿って取り付けるための取付フランジ部２１２が設けられている。取付フランジ部２１２は、底板部２１１の左端部及び右端部で底板部２１１の裏面側に折曲された脚部２１３と、該脚部２１３の後端部で互いに左右に離間する方向に折曲された第１取付面部２１４とからなる断面が略Ｌ字形状を有している。
【００５０】
可動ベース部２０３は、所定の剛性を有する例えばポリカーボネイトなどの透明な合成樹脂製材料によって構成されており、特に横長矩形の底板部と、底板部の長辺側である下端部で折曲されて底板部の表面側に向かって突出する載置部と、底板部の短辺側である左端部及び右端部でそれぞれ底板部の表面側に向かって折曲形成された一対の側板部とを有している。
【００５１】
底板部は、固定ベース部２０２の前方である底板部２１１の表面側で左右の係止爪部２３１の間に亘る横幅と、固定ベース部２０２の底板部２１１の上下に亘る高さ幅とからなる平板形状をなし、互いに左右に離間した２カ所に窓孔部２６１ａが開口形成されている。窓孔部２６１ａは、可動ベース部２０３を起立姿勢位置に位置決め保持しかつ底板部２６１を固定ベース部２０２の底板部２１１の表面側に重ね合わせた状態で、固定ベース部２０２の底孔部に連通する位置に形成されている。
【００５２】
次に、主制御装置１０１の構成について、以下に説明する。尚、以下の説明では、一対のケース体１１０、１２０のうち、筐体２内で表側に位置する第２部材・第２ケース部材と称するケース体を主基板ケース上（基板ケース上）１１０とし、裏側に位置する第１部材・第１ケース部材と称するケース体を主基板ケース下１２０（基板ケース下）として説明する。
【００５３】
主制御装置１０１の主基板１０３上には、図示しない配線パターンが主基板ケース下１２０側に施されると共に、ＣＰＵやＲＯＭ等のＩＣチップを含む各種電子部品、ソケット１０４等が主基板ケース上１１０側に実装されている。主基板１０３は、対角線上に位置する隅角部に設けられた一対の小孔１０３ａを通過してネジ１０６により主基板ケース上１１０側に固定されるようになっている。
【００５４】
主基板ケース上１１０は、図７及び図８に示すように、主基板１０３上の比較的背の高い電子部品等を収容可能とする主基板収容部１１１を有しており、その周縁部には、一段低い段部１１２が形成されている。
【００５５】
主基板収容部１１１の表面には、後述する第１封印部等の封印履歴等が記載される封印履歴記録シートを貼付するための貼付枠１１１ａが凹設されている。そして、段部１１２には、主基板１０３上のソケット１０４を挿通させるための複数のソケット挿通孔１１２ａが形成されている。
【００５６】
主基板ケース上１１０の左端部及び右端部には、複数のＬ字状の引掛部１１３が所定間隔をおいて上下に一列に並ぶように設けられている。封印結合部１１５は、筒状体をなし、後述するように上下の連結部材１１６によって主基板ケース上１１０に連結されている。この連結部材１１６は、ニッパなどの工具で切断でき、切断によって封印結合部１１５を主基板ケース上１１０から切除できるようになっている。
【００５７】
主基板ケース上１１０の下部右側には、固定面１１７が形成されており、基板ボックスは可動ベース部２０３に固定されている。
【００５８】
固定面１１７は、主基板ケース上１１０の表側で基板ボックス１０２の往復移動方向に沿って延在し、基板ボックス１０２の可動ベース部２０３への保持により、可動ベース部２０３の固定用フランジ２８４の裏面に対向して重なり合う平面形状を有している。
【００５９】
ネジ孔部１１７ａは、基板ボックス１０２を可動ベース部２０３に保持した際に、固定用フランジ２８４の貫通孔２８４ａの位置と一致し、その中心軸線が貫通孔２８４ａの中心軸線と同軸上に延在して貫通孔２８４ａと連通する位置に形成されている。
【００６０】
そして、固定ネジを、互いに連通する貫通孔２８４ａとネジ孔部に前方から挿着し、ネジ孔部に螺入することによって基板ボックス１０２に係止できるようになっている。
【００６１】
固定ネジ２８９は、貫通孔２８４ａ及びネジ孔部１１７ａへの挿着によって、基板ボックス１０２の往復移動方向に直交しかつ回動中心軸線に直交する方向に沿って延在し、基板ボックス１０２の可動ベース部２０３から取り出す方向への移動を禁止することができ、保持手段により保持された基板ボックス１０２を可動ベース部２０３に固定することができる。
【００６２】
したがって、これらの貫通孔２８４ａ、ネジ孔部１１７ａ、固定ネジ２８９によって、基板ボックス１０２を可動ベース部２０３に固定する固定手段が構成される。
【００６３】
このように、固定面１１７が主基板ケース上１１０の下部右側に設けられ、固定ネジ２８９の螺入を筐体の前方側から行うことができるので、右利きの作業者にとっては、スクリュードライバなどの工具を回しやすく、簡単に固定作業を行うことができる。
【００６４】
また、前面扉３は、筐体２の左端部に支持されていることから、前面扉３を開くことによって、固定面１１７と対向する側である筐体２の左端部側、すなわち、固定面１１７と反対側に移動し、固定面１１７側が大きく開放される。したがって、固定面１１７周辺の作業スペースを広く確保することができ、固定ネジ２８９の固定作業及び取外作業を容易に行うことができる。したがって、主制御装置１０１の基板ボックス１０２を台座装置２０１の可動ベース部２０３に固定する固定作業及び固定解除作業を容易に行うことができる。
【００６５】
また、可動ベース部２０３の貫通孔２８４ａが回動中心軸線の近傍位置に設けられ、その貫通孔２８４ａに連通する基板ボックス１０２のネジ孔部１１７ａが基板ボックス１０２を可動ベース部２０３に保持させる際の移動方向先頭側に配置されているので、基板ボックス１０２を回動中心軸線に接近する方向に移動させて可動ベース部２０３に保持させる際に固定用フランジ２８４に対向する基板ボックス１０２の固定面１１７の長さを、基板ボックス１０２の移動方向に沿って長く形成する必要がなく、より短い距離とすることができ、基板ボックス１０２の形状を簡単なものにすることができる。
【００６６】
固定面１１７の側方位置には、基板ボックス１０２の可動ベース部２０３への固定時に、固定用フランジ２８４の表面側と面一に連続して延在する平面部１１８が形成されている。
【００６７】
平面部１１８は、固定用フランジ２８４と共に、封印シール（図示せず）のシール貼付面を構成するように形成されている。封印シールは、基板ボックス１０２の表面側から平面部１１８と固定用フランジ２８４に跨るように貼付され、一旦剥がされると封印シールから粘着剤が剥がれ、再度貼付することができず、シール貼付面に剥がされた形跡を残すものであり、基板ボックス１０２の固定の封印が解かれたか否かを確認できる。
【００６８】
主基板ケース下１２０は、図９及び図１０に示すように、主基板ケース上１１０に取り付けられた主基板１０３の裏面に対向する底板部１２１を有している。そして、その底板部１２１の左端部及び右端部には、基板高さ方向に起立して先端部がＬ字状に形成された複数の引掛部１２２が形成されており、これら複数の引掛部１２２と主基板ケース上１１０のＬ字状の引掛部１１３との係合により、主基板ケース上１１０と主基板ケース下１２０との組み付けが行われるようになっている。
【００６９】
主基板ケース下１２０の引掛部１２２は、主基板ケース上１１０と主基板ケース下１２０を互いに重ね合わせることによって主基板ケース上１１０の引掛部１１３の位置に合わされ、主基板ケース上１１０に対して主基板ケース下１２０を相対的に上方にスライド移動させることによって、主基板ケース上１１０の引掛部１１３と係合するようになっている。引掛部１２２の引掛部１１３への係合により、主基板ケース上１１０と主基板ケース下１２０は互いに組み付けられて中空箱状の基板ボックス１０２が形成される。
【００７０】
そして、主基板ケース下１２０を主基板ケース上１１０に対して相対的に上方にスライド移動させることによって、引掛部１２２の引掛部１１３への係止を解除でき、表面側と裏面側とに離反させることで基板ボックス１０２を主基板ケース上１１０と主基板ケース下１２０に分離でき、基板ボックス１０２内に収容されている主基板１０３を取り出すことが可能となる。
【００７１】
底板部１２１の下方位置には、一対の封印結合部１２４が左右に離間して設けられている。封印結合部１２４は、主基板ケース下１２０の表面から裏面に貫通する貫通孔を有し、上側が連結部材１２５によって主基板ケース下１２０の基板搭載側に連結されている。
【００７２】
この連結部材１２５は、ニッパなどの工具で切断でき、切断によって封印結合部１２４を主基板ケース下１２０から切除できるように構成されている。各封印結合部１２４は、主基板ケース上１１０と主基板ケース下１２０を互いに組み合わせることにより、主基板ケース上１１０の封印結合部１１５と同軸上に連続する位置にそれぞれ設けられている。そして、同軸上に連続する主基板ケース上１１０の封印結合部１１５と主基板ケース下１２０の封印結合部１２４に主基板ケース上１１０側からピン状の封印結合部材１３０を装着することにより第１封印部（左右のＡ部）を構成し、主基板ケース上１１０と主基板ケース下１２０を互いに封印結合するようになっている。この封印結合部材１３０は、同軸上に連続する主基板ケース上１１０の封印結合部１１５と主基板ケース下１２０の封印結合部１２４に装着することによって主基板ケース上１１０と主基板ケース下１２０との相対的な上下移動を禁止し、装着後は取り外して再利用することが不可能な構成を有している。
【００７３】
第１封印部の封印を解除するには、図８に示すように、主基板ケース上１１０の封印結合部１１５と主基板ケース下１２０の封印結合部１２４の各連結部材１１６、１２５をニッパなどの工具で切断し、各封印結合部１１５、１２４を主基板ケース上１１０及び主基板ケース下１２０から切除する。尚、本実施の形態では、連結部材１１６、連結部材１２５の順番で切断し、封印結合部１１５、１２４の両方を切除して第１封印部の封印を解除しているが、これに限られるものではない。少なくとも、主基板ケース下１２０の連結部材１２５を切断して、この主基板ケース下１２０の封印結合部１２４だけを切除することで第１封印部の封印を解除できる。第１封印部の封印を解くことによって、主基板ケース上１１０と主基板ケース下１２０との相対的な上下移動を可能とし、基板ボックス１０２を主基板ケース上１１０と主基板ケース下１２０に分解することができる。
【００７４】
このように、第１封印部を封印した後に基板ボックス１０２を主基板ケース上１１０と主基板ケース下１２０に分解するためには、封印結合部１１５、１２４を切除してその封印を解除しなければならない。
【００７５】
封印結合部１１５、１２４の切除により第１封印部の封印を解除すると、基板ボックス１０２には封印結合部１１５、１２４を切除した形跡が明確に残される。換言すれば、基板ボックス１０２に封印結合部１１５、１２４の切除の形跡を残さない限り、基板ボックス１０２を主基板ケース上１１０と主基板ケース下１２０に分解することはできない。
【００７６】
したがって、封印結合部１１５、１２４の切除の形跡を見ることによって、基板ボックス１０２の分解の事実及びその回数を容易に把握することができる。
【００７７】
そして、貼付枠１１１ａに貼付された封印履歴記録シートには、第１封印部を封印した日時及び封印した者の氏名が記載されるように定められている。したがって、シートの記載内容と、封印結合部１１５、１２４の切除の形跡を見比べることで、基板ボックス１０２の不正な分解がなされていないかを容易に判断することができる。
【００７８】
本実施の形態では、一対の第１封印部において、遊技機の出荷時に封印が行われる構成としているが、複数ある封印部分の何れを使用するかについて予め順番を定め、例えば左側の封印が最初に行われるようにしてもよい。
【００７９】
また、角孔部１２３内には、主制御装置１０１の基板ボックス１０２を可動ベース部２０３に封印結合するための封印結合部１２６が横一列に並ぶように複数設けられている。封印結合部１２６は、筒体状をなし、上下のリブ１２７によって主基板ケース上１１０に連結されている。
【００８０】
このリブ１２７は、ニッパなどの工具で切断でき、切断によって封印結合部１２６を主基板ケース上１１０から切除できるように構成されている。各封印結合部１２６は、基板ボックス１０２を可動ベース部２０３に保持した場合に、可動ベース部２０３の封印結合部２９０と同軸上に連続する位置にそれぞれ設けられている。そして、同軸上に連続する主基板ケース上１１０の封印結合部１２６と可動ベース部２０３の封印結合部２９０に封印ピン１３１を装着することによって第２封印部（ＢＣＤＥ部）を構成し、基板ボックス１０２を可動ベース部２０３に封印結合するようになっている。
【００８１】
図１１は封印結合部材１３０を示す拡大図であり、（ａ）は頭部からの斜視図、（ｂ）は正面図、（ｃ）は側面図、（ｄ）は平面図、（ｅ）は軸部からの斜視図である。
本発明の封印結合部材１３０（Ａ部）は、中空の軸部１３０１の途中に係止爪１３０２を有し、軸部１３０１の後端に頭部１３０３が形成されたピンである。係止爪１３０２は軸部１３０１の２箇所に設けられ、図示上においての左右方向へ均等に力が加わるようにしてある。
【００８２】
封印結合部材１３０の頭部１３０３には、その頭部１３０３中心から放射するように突出する数個の脆弱部１３０４が形成されている。この数個の脆弱部１３０４は、図１１（ｅ）の斜視図に示すように、他の部位の肉厚より薄く形成された、破断し易い舌片状の部材である。この脆弱部１３０４は、文字通り第１封印部（Ａ部）の封印結合部１１５，１２４に差し込んだ封印結合部材１３０を、封印結合部１１５と頭部１３０３に差し込んだマイナスドライバ等の工具で不正にこじり、封印結合部材１３０の係止爪１３０２を撓ませることで、係止爪１３０２の係止を解除する、あるいは封印結合部材を引き抜こうとするときに容易に破断する部分である。この脆弱部１３０４の破断により、不正されたことの発見が容易になるため、その封印結合部材１３０は再度使用することができず、不正改造の抑止効果を奏する。
【００８３】
但し、封印結合部材１３０を、第１封印部（左右のＡ部）の主基板ケース上１１０の封印結合部１１５と主基板ケース下１２０の封印結合部１２４に主基板ケース上１１０側へ差し込む際に、この頭部１３０３と脆弱部１３０４を指で差し込むときの力では破断しない程度の剛性は有する。これは組み立て作業を円滑に進めるためであり、本来の結合部材として機能を果たすためである。
【００８４】
この脆弱部１３０４は、更に破断しやすいように、図１１（ｂ）の正面図に示すように、舌片状の脆弱部１３０４の中間に切込み１３０５を形成することができる。頭部１３０３から放射状に突出している脆弱部１３０４に切込み１３０５を入れている。なお、この切込み１３０５は脆弱部１３０４の全てに形成する必要はなく、一部の脆弱部１３０４のみに形成したものでもよい。また、全ての脆弱部１３０４に切込み１３０５が形成されていないものでもよい。
【００８５】
図７，図８に示したように、主基板ケース上１１０の封印結合部１１５に方形と円形を結合した略前方後円形状の封印結合部１１５（凹部）が形成されている。この封印結合部１１５は封印結合部材１３０を差し込んだ後、その頭部１３０３から硬化樹脂材Ｒを充填する箇所になる。この封印結合部１１５の凹部形状に合わせて、封印結合部材１３０の頭部１３０３も６本の脆弱部１３０４を方形と円形を結合した略前方後円形状である。この封印結合部１１５の凹部内壁形状に沿うように、封印結合部材１３０の脆弱部１３０４は、この封印結合部材１３０の頭部１３０３中心から放射するように数個の脆弱部１３０４が形成されている。
【００８６】
封印結合部材１３０の頭部１３０３と脆弱部１３０４の形状は、この封印結合部材１３０が軸部１３０１方向を中心に回動しないように、この封印結合部１１５の不定形な凹部内壁形状に隙間なく沿うような形状に形成されている。即ち、その軸部１３０１方向の中心点で点対称にならない不定形な形状に形成されている。これは、主基板ケース上１１０の封印結合部１１５に、封印結合部材１３０を常に正確な位置関係で差し込めるようにするためである。そこで、封印結合部材１３０の頭部１３０３と脆弱部１３０４の形状は、この略前方後円形状に限定されず、封印結合部材１３０が軸部１３０１で回動しない形状であれば、略台形状、略二等辺三角形状等その他の多角形状に変形することができる。このときは、封印結合部１１５の形状もそれに合わせることは勿論である。
【００８７】
この封印結合部１１５には、後述するように、封印結合部材１３０の頭部１３０３を脆弱部１３０４と共に被覆する硬化樹脂材Ｒを、封印結合部１１５の凹部内壁形状に充填する（図１３参照）。
【００８８】
図１１（ｅ）の斜視図に示すように、本発明の封印結合部材１３０の頭部１３０３には、その軸部１３０１側に段差部１３０６が形成されている。この段差部１３０６は、硬化樹脂材Ｒがここに滞留して封印結合部材１３０の頭部１３０３と主基板ケース下１２０との接着力を向上させる機能を奏する箇所である。特に、段差部１３０６に入り込んだ硬化樹脂材Ｒは削り取りづらい。
【００８９】
図１２は封印結合部材１３０を封印結合部１１５，１２４に差し込む状態を示す拡大断面図であり、（ａ）は封印結合部１１５，１２４を差し込む前の状態、（ｂ）は封印結合部１１５，１２４を差し込んだ後の状態である。
本発明の封印結合部材１３０を、主基板ケース上１１０と主基板ケース下１２０の封印結合部１１５，１２４に封止する手順を図１２に基づいて説明をする。
先ず、図１２（ａ）に示すように、主基板ケース上１１０に主基板ケース下１２０を上方から下方へスライドして組み付け（矢視方向）、これら主基板ケース上下１１０，１２０それぞれに設けた封印結合部１１５，１２４に、封印結合部材１３０を、主基板ケース上下１１０、１２０をスライドして装着する方向と交差する方向に差し込み、両ケースが分離しないように規制している。Ａ部封印結合部１１５，１２４は、図示するように、主基板ケース下１２０の内径（Ｌ１）は主基板ケース上１１０の内径（Ｌ２）より短くし、この主基板ケース上１１０の内径（Ｌ２）は封印結合部材１３０の軸部１３０１と頭部１３０２の連結部分の外径（Ｌ３）より長くする。このＡ部封印結合部１１５に差し込まれた封印結合部材１３０は、主基板ケース下１２０に封印結合部材１３０の掛かり部を設定でき、封印結合部材１３０の挿入方向への移動防止の効果がある。
【００９０】
図１２（ｂ）に示すように、この構造になるＡ部封印結合部１１５，１２４に差し込まれた封印結合部材１３０は、主基板ケース上下１１０，１２０を結合する機能を有する。即ち、主基板ケース上１１０に主基板ケース下１２０を組み付け、これらを分離させないようになる。しかし、本発明の封印結合部材１３０は、一方の封印結合部１２４の挿通孔の端縁のみで、その係止爪１３０２と頭部１３０３とが固定される構造になっている。
【００９１】
このように、封印結合部材１３０が一方（主基板ケース下１２０）の封印結合部１２４の挿通孔の端縁のみで固定されているため、その封印結合部１１５，１２４の隙間に何らかの工具を差し込んでも、この隙間ｃ部分は撓み、またはその部分が変形するだけである。こじ開けにより隙間部分（基板ケースの接合部分）を離すことはできるが、封印結合部材１３０の係止爪１３０２と頭部１３０３には力学的な作用が及ばないので、この封印結合部材１３０を外すことはできない。このような構造にするためには、逆に封印結合部１１５の挿通孔の端縁のみで、封印結合部材１３０の係止爪１３０２と頭部１３０３とが固定される構造にすることも可能である（図示していない）。
【００９２】
更に、封印結合部材１３０を一方の封印結合部１２４の挿通孔の端縁のみで固定する際にも脆弱部１３０４を有する封印結合部材１３０を実施できることは勿論である。例えば図１２（ｂ）の状態で、主基板ケース上１１０の封印結合部１１５と、主基板ケース下１２０の封印結合部１２４との接合部（隙間）をこじ開けようとしても、封印結合部材１３０の脆弱部１３０４は、主基板ケース上１１０の端縁で破損する可能性はある。このときも係止爪１３０２と頭部１３０３には力がかからないので封印結合部材１３０自体を外すことはできない。ここで脆弱部１３０４は、主基板ケース上１１０の端縁に接触することによって封印結合部材１３０の挿入方向側の移動を規制しているようにみえる。しかし、脆弱部１３０４は外力が加わることで破損しやすく形成されているので、工具を差し込んでこじ開けを行っても係止爪への負荷がかかるものではない。
【００９３】
図１３は封印結合部材１３０の頭部に硬化樹脂材Ｒを充填した他の状態を示す拡大断面図である。
本発明では、図示するように、Ａ部封印結合部１１５に差し込んだ封印結合部材１３０の頭部１３０３に紫外線硬化性樹脂材Ｒを注入し、ここに紫外線を照射して硬化させている。この紫外線硬化性樹脂材Ｒの注入により、部品同士の接着力を向上させている。即ち、この紫外線硬化性樹脂材Ｒの注入により、封印結合部材１３０で主基板ケース上下１１０，１２０のクリアランスを抑え、気密性を向上させる。特に、封印結合部材１３０の頭部１３０３裏面に硬化性樹脂材Ｒが浸入しやすく、より気密性を向上させることができる。また、硬化性樹脂材が頭部１３０３の裏面に入り込むことによって、前方、つまり、硬化性樹脂材Ｒの注入方向からの硬化性樹脂材Ｒの除去を困難にすることができる。
【００９４】
このようにＡ部封印結合部１１５を構成したので、ここを直接こじ開けた時には封印結合部材１３０の脆弱部１３０４の破壊が推測できる。主基板ケース上１１０、主基板ケース下１２０、封印結合部材１３０が硬化樹脂材Ｒで接着しているため、新品部材を作り出すことが困難である。それぞれの部材が接着部材と共に母材破壊するので、２個１作成は困難と推測される。
【００９５】
複数の中古機等から基板ボックス（主基板ケース上１１０、主基板ケース下１２０）及び封印結合部材１３０の取り出すときに、封印結合部材１３０の脆弱部１３０４に硬化樹脂材Ｒが塗布されているので、硬化性樹脂材Ｒを除去しようとすると脆弱部が破損し、その痕跡が残る。また、封印結合部材１３０の頭部１３０３を被覆している紫外線硬化性樹脂材Ｒを完全に除去しない場合には、除去していない部分が白化して残り、その痕跡が残る。そのため、複数の部材を組み合わせて痕跡のない封印構造を作るという不正を防ぐことができる。
【００９６】
本発明の封印結合部材１３０は、上述したような中空の軸部１３０１の途中に係止爪１３０２を有し、軸部１３０１の後端に頭部１３０３が形成されたピン構造に限定されない。例えば、封印結合部１１５，１２４に係止爪を設け、逆に封印結合部材にはこの係止爪が係止する穴又は凹部を形成したものでもよい。または、封印結合部１１５，１２４に接着剤（硬化性樹脂材）を充填し、封印結合部材の軸部の周囲に複数の溝を形成し、接着剤（硬化性樹脂材）が硬化した後に抜きづらくしたものでもよい。あるいは、封印結合部材の先端に接着剤（硬化性樹脂材）を入れた袋を取り付け、これを封印結合部１１５，１２４に挿入した際に、袋が破けて接着剤（硬化性樹脂材）が飛び出し、この封印結合部材と主基板ケース上１１０又は主基板ケース下１２０に接着されるものあってもよい。更に、封印結合部材の軸部に頭部は設けず、係止爪のみを設けた構造にすることもできる（図示していない）。
【００９７】
また、封印結合部１１５に凹部を形成し、この凹部に封印結合部材１３０の頭部１３０３が嵌る構造について上述したが、必ずしも凹部を形成する必要はない。例えば、封印結合部１１５（主基板ケース上１１０）と封印結合部材の頭部が面一であっても、粘性の高い接着剤（硬化性樹脂材）を用いれば、この部分の塗布も円滑に行なうことができる。
【００９８】
また、硬化樹脂材は脆弱部に付着していなくても、脆弱部付近に硬化樹脂が付着しているものでもよい。例えば、薄肉又は細幅の脆弱部の両側が硬化樹脂材で接続される等して硬化樹脂材を封印結合部材から取り除こうとした場合に、脆弱部が破損しやすくなっていれば、硬化樹脂材料が脆弱部に付着していなくても、同様の効果を奏することができる。
【００９９】
このように封印結合部材１３０の脆弱部１３０４が破損又は変形しやすいので、不正にこじ開けようとしたときは、基板ケースに破壊の痕跡を確実に残すことができる。このような封印結合部材１３０を一方の封印結合部１２４の挿通孔の端縁のみで固定する構造にすれば、封印結合部材１３０を外しづらくした上に、何らかの破壊しようとした痕跡を残しやすくなる。
【０１００】
図１４は封印結合部材１３０の変形例を示す封印結合部材１３０の頭部１３０２の部分拡大断面図である。
図示する封印結合部材１３０は、その軸部１３０１と頭部１３０２の連結部分は主基板ケース下１２０の封印結合部１２４の挿入孔の周縁に密着するが、封印結合部材１３０の脆弱部１３０４の軸側は、主基板ケース上１１０の封印結合部１１５の挿入孔の周縁には接しない隙間（Ｌ４）ができる寸法に形成した。
封印結合部材１３０は、基板ケース下１２０の封印結合部１２４の一方のみで固定されているため、本来の機能である主基板ケース上１１０と基板ケース下１２０とを確実に封印することができる。一方、脆弱部１３０４の軸側の隙間から工具を差し込んでこじ開けようとしたときに、この脆弱部１３０４が破断するようになっている。
【０１０１】
この変形例の封印結合部材１３０では、封印結合部材１３０を差し込む際にこの主基板ケース上１１０の封印結合部１１５と封印結合部１２４の脆弱部１３０４との隙間（Ｌ４）の隙間があるために脆弱部１３０４は基板ケース上１１０と接触しない、そのため、封印結合部材を差し込む際の脆弱部の破損を防ぐことができる。
また、この主基板ケース上１１０の封印結合部１１５と封印結合部１２４の脆弱部１３０４との隙間（Ｌ４）には硬化樹脂材Ｒが浸入しやすくなり、封印結合部材１３０の抜け防止の効果を高めることもできる。
【０１０２】
本発明の係止構造について、封印結合部材１３０は、主基板ケース上下１１０，１２０を結合するが、封印結合部１１５，１２４では、その一方のみで封印結合部材１３０を固定する構造に特徴を有する。そこで、上述した封印結合部材１３０に形成した係止爪１３０２の構造に代えて、封印結合部１２４側に係止爪を形成し、封印結合部材１３０の軸部のストッパーを係止させる構造でもよい（図示していない）。このときも封印結合部材１３０は主基板ケース上下１２０の封印結合部１２４のみで固定される。このような構成でも、その封印結合部１１５，１２４の隙間に何らかの工具を差し込んで、こじ開けようとしても封印結合部材１３０自体を外すことはできない。
【０１０３】
図１５は主基板ケース下１２０の封印結合部１２４を主基板ケース上１１０の封印結合部１１５に組み付ける状態を示す拡大断面図であり、（ａ）は主基板ケース下１２０に主基板ケース上１１０を組み付ける状態、（ｂ）は組み付けた後の状態である。
本発明のＡ部封印結合部１１５，１２４は、図１５（ａ）に示すように、主基板ケース上１１０の封印結合部１１５を袋状構造Ｘに形成した。一方、主基板ケース下１２０の封印結合部１２４は、この袋状構造Ｘに挿抜自在に差し込めるような舌片状構造Ｙに形成した。また、袋状構造になる主基板ケース上１１０の封印結合部１１５は、主基板ケース下１２０の挿入方向と交差する方向の一側のみに封印結合部材挿通孔を開けた（図示例では右側のみに開けた。）。
【０１０４】
このような封印結合部１１５，１２４の構造では、図１５（ｂ）に示すように、主基板ケース下１２０と主基板ケース上１１０との接合部（隙間）に工具ｔ１（三角で表示）を差し込んで、こじ開けようとしても、封印結合部材１３０の係止爪１３０２と頭部１３０３には力がかからないので封印結合部材１３０自体を外すことはできない。封印結合部材１３０を外すことができる部位までに、工具等を差し込むことができないようになっている。即ち、主基板ケース下１２０の装着方向と交差し、かつ封印結合部材１３０の挿入方向と共に交差する方向に係止爪を形成しているので、主基板ケース下１２０をこじ開けようとしても封印結合部材１３０が傾いて係止構造に力が加わりにくい。
【０１０５】
同じく図１５（ｂ）に示すように、封印結合部材１３０と頭部１３０３近くにある、主基板ケース上１１０の封印結合部１１５と、主基板ケース下１２０の封印結合部１２４の接合部（隙間）に工具ｔ２（三角で表示）を差し込んで、こじ開けようとするときは、頭部１３０３、脆弱部１３０４を破壊しなければ工具ｔ２を差し込むことができない。封印結合部材１３０を破壊すれば、当然痕跡を残すことになる。また、この部分は基板ケース上１１０と主基板ケース下１２０とが強固に組み合わされた部分でもあり、こじ開けようとしても簡単には封印結合部材１３０の係止爪１３０２と頭部１３０３とを外すことは困難である。
【０１０６】
上述したような封印結合部材１３０と封印結合部１１５，１２４とによる封印結合構造又は袋状構造Ｘと舌片状構造Ｙとから成る封印結合構造は、上述したスロットマシーンに設けられる基板用ケースに限定されない。例えばパチンコ機のように遊技機の外部に基板を備える構造の基板用ケースにも利用できる。また、遊技機に関連するケース部材とベース部材を封印するもの、コネクタの取り外しを封印するもの、ボタンの取り外しを封印するもの等、取り外した場合にも利用できる。即ち、不正にこじ開けた痕跡を残すものであれば何れも利用することができる。
更に、この封印結合構造は、例えば主制御基板からの制御指示により遊技演出などの制御を行う副基板、ホールコンピュータへ情報を送信する外部端子基板あるいは払い出し基板などを収容する基板ボックスにも利用することができる。
【０１０７】
図１６は二重封印結合外部材１３１を示す拡大図であり、（ａ）は側面図、（ｂ）は正面図、（ｃ）は平面図、（ｄ）は裏返した状態の斜視図である。
本発明の二重封印結合部材は、主基板ケース上１１０のＢ，Ｃ，Ｄ，Ｅ部封印結合部１２６から差し込み、可動ベース部２０３の封印結合部２９０内に係入されるピンである。二重封印結合部材は、外部材１３１と内部材１３２とで構成されたものである。なお、Ｆ部は、可動ベース部２０３の封印結合部２９０内に係入されない。主基板ケース上１１０と主基板ケース下１２０との結合のみに寄与する（図５参照）。
【０１０８】
二重封印結合外部材１３１は、図１６に示すように、筒部１３１１の途中に係止爪１３１２を有し、筒部１３１１の後端に頭部１３１２が形成されたピンである。係止爪１３１３は、主基板ケース下上１１０，１２０それぞれに設けたＢ，Ｃ，Ｄ，Ｅ，Ｆ部封印結合部１２６に、差し込んだときの抜け止め機能を奏する部分である。この係止爪１３１３は、筒部１３１１の２箇所に設け、図示上においての両側方向へ均等に力が加わるようにしてある。
【０１０９】
筒部１３１１の先端に抜止め用切込み１３１４が形成されている。抜止め用切込み１３１４は後述する二重封印結合内部材１３２の係止爪１３２２が係合する抜け止めとして機能する部分である。抜止め用切込み１３１４は、２個の係止爪１３１３の形成位置に対して筒部１３１１の軸回転方向において９０度回転した位置に配置した。これは二重封印結合外部材１３１として部材の強度を高めるためである。
【０１１０】
更に、図１６（ｂ）に示すように、筒部１３１１の頭部１３１２一側に突条１３１５が軸方向に形成されている。これはＢ，Ｃ，Ｄ，Ｅ，Ｆ部封印結合部１２６に形成された溝部１２６ａに係合する位置決めとして機能する部分である。即ち、この突条１３１５は、二重封印結合外部材１３１の差し込んだ後の回転を規制する機能を有する。また、頭部１３１３他側にスリット１３１６が軸方向に形成されている。これは後述する内部材１３２の突条１３２４が係合する位置決めとして機能する部分である。
【０１１１】
図１７は二重封印結合内部材１３２を示す拡大図であり、（ａ）は側面図、（ｂ）は正面図、（ｃ）は平面図、（ｄ）は頭部からの斜視図である。図１８は二重封印結合外部材１３２に二重封印結合内部材１３２を差し込んだ状態を示す拡大図であり、（ａ）は頭部からの斜視図、（ｂ）は平面図、（ｃ）は側面図である。
二重封印結合内部材１３２は、軸部１３２１の先端に係止爪１３２２を有し、軸部１３２１の後端に頭部１３２３が形成されたピンである。係止爪１３２２は、軸部１３２１の２箇所に設け、図示上においての上下方向へ均等に力が加わるようにしてある。
【０１１２】
二重封印結合内部材１３２の係止爪１３２２は、二重封印結合外部材１３１先端の抜止め用切込み１３１４に係合する部分である。これは文字通り、二重封印結合内部材１３２と二重封印結合外部材１３１両者を強固に係合させる機能を有する。
【０１１３】
また、頭部１３２３一側に突条１３２４が軸方向に形成されている。この突条１３２４は、二重封印結合外部材１３１頭部１３１３のスリット１３１６に係合する部分である。二重封印結合内部材１３２と二重封印結合外部材１３１との軸回転への回動を阻止し、両者を容易に嵌合できる機能を有する。
【０１１４】
図１９は二重封印結合部材１３１，１３２を封印結合部１２６に差し込む状態を示す拡大断面図であり、（ａ）は二重封印結合外部材１３１を差し込む前の状態、（ｂ）は二重封印結合外部材１３１を差し込んだ後の状態、（ｃ）は二重封印結合内部材１３２を差し込む前の状態、（ｄ）は二重封印結合内部材１３２を差し込んだ後の状態である。
先ず、主基板ケース上下１１０，１２０を組み付ける。この主基板ケース上下１１０，１２０を主基板ベース可動側へ組み付ける。１箇所の固定ネジ２８９で可動ベース部２０３の固定用フランジ２８４の貫通孔２８４ａに締め付ける（図５参照）。
図１９（ａ）、（ｂ）に示すように、二重封印結合外部材１３１の頭部１３１２と係止爪１３１３とで、主基板ケース下１２０の封印結合部１２６と主基板ケース上１１０と可動ベース部２０３の封印結合部２９０とを強固に固定することにより、基板ボックス１０２を可動ベース部２０３に固定する。
【０１１５】
次に、図１９（ｃ）、（ｄ）に示すように、二重封印結合外部材１３１の形状に合わせるように二重封印結合内部材１３２を主基板ケース下１１０の封印結合部１１５最前面まで差し込む。
【０１１６】
このように主基板ケース上１１０のリブを主基板ベース側に差し込むことで、主基板ケース上下１１０，１２０と主基板ベースの可動部のこじ開けに対する強度を向上させることができる。
【０１１７】
二重封印結合部材１３１，１３２を使用することにより、この引き抜きに対する強度を向上させることができる。また、二重封印結合部材１３１，１３２は突条１３１５、スリット１３１６、突条１３２４という方向を規制する形状を有し、視認性がよい目印があるために、作業性の低下を防止することができる。
二重封印結合部材１３１，１３２の係止爪１３１３，１３２２は、主基板ベース可動側の密閉空間にあるため、裏側からのアクセスは不可能である。また、前方からは見えない位置にあるため（主基板ケース上の封印結合部形状が目隠しになっている）アクセスは不可能である。
二重封印結合部材１３１，１３２は、再使用することができるので、部材及び工程を削減することになる。
【０１１８】
二重封印結合部材１３１，１３２の位置を主基板ケース１１０，１２０の下方側の位置に設定したので、主基板ベース可動時において封印結合部１２６を触り難い。主基板ケース１１０，１２０の上方側からこじ開けた時には封印結合部１２６が主基板ケース１１０，１２０の下方側にあるため、二重封印結合部材１３１，１３２が抜ける程たわませるのは難しい。なお、二重封印結合部材１３１，１３２の設定位置は、主基板ケース１１０，１２０の下方位置以外に変更することもある。例えば主基板ケース１１０，１２０の左位置、右位置又は上方位置の場合でもよい。これらの封印結合部１２６を主基板ケース１１０，１２０が可動ベース部の２０３の取り付け方向先端側に設けることで同様の効果を奏する。特に本実施例においては、可動ベース２０３が回転回動し、主基板の背面を視認可能にしているので、可動ベースを透明な樹脂で作るため、より効果的である。
【０１１９】
主基板ベースの可動部の裏側の穴については大幅に削減、また封印結合部１２６の周辺は板金で補強していることから、穴からマイナスドライバ等の工具を入れて二重封印結合部材１３１，１３２が抜ける程たわませるのは難しい。また、封印結合部１２６はＢＯＸ構造となっており、二重封印結合内部材１３１，１３２に外部からアクセスすることは不可能な構造になっている。主基板ベースの可動部の穴からこじ開けた時には、封印結合部周辺の板金補強部までたわませるのは難しいため主基板ベースの可動部の破壊が推測される。
【０１２０】
二重封印結合部材１３１，１３２を開封する手順を図１８に基づいて説明する。
主基板ケース上１１０の２箇所のリブ１２７を切断する。二重封印結合部材１３１，１３２を切断した封印結合部１２６のブロックごとに９０°回転させ、手前方向へ抜き取る。切断したブロックから二重封印結合内部材１３２の係止爪１３２２を工具でつまみ、所定の方向へ押し出して抜き取る。
切断した封印結合部１２６のブロックから二重封印結合外部材１３１の係止爪１３１３をつまみ、所定の方向へ押し出して抜き取る。
【０１２１】
上記のように構成した二重封印結合部材１３１，１３２は、主基板ケース上１１０の前方から主基板ケース下１２０の封印結合部１２６に挿入され、主基板ケース下１２０の封印結合部１２６に基端が保持され、先端が可動ベース部２０３の封印結合部２９０内に係入される。したがって、可動ベース部２０３に対する基板ボックス１０２の上方への移動、より詳しくは回動軸部の回動中心軸線から離間する方向への移動を禁止し、基板ボックス１０２を可動ベース部２０３に固定することができる。そして、リブ１２７の切断により主基板ケース下１２０の封印結合部１２６を主基板ケース上１１０から切除することによって二重封印結合部材１３１，１３２を取り外すことができ、再使用が可能な構成を有している。
【０１２２】
第２封印部（Ｂ部、Ｃ部、Ｄ部、Ｅ部）の封印を解除するには、二重封印結合部材１３１，１３２が装着されている主基板ケース下１２０の封印結合部１２６のリブ１２７をニッパなどの工具で切断し、封印結合部１２６を切除する。これにより、封印ピン１３１の封印結合部２９０内への係入を解き、第２封印部による封印結合を解除することができる。
【０１２３】
このように、第２封印部を封印した後に基板ボックス１０２を可動ベース部２０３から取り外すためには、封印結合部１２６を切除して第２封印部の封印を解除しなければならない。
【０１２４】
封印結合部１２６の切除により第２封印部の封印を解除すると、基板ボックス１０２には封印結合部１２６を切除の形跡が明確に残される。換言すれば、基板ボックス１０２に封印結合部１２６の切除の形跡を残さない限り、基板ボックス１０２を可動ベース部２０３から取り外すことはできない。
【０１２５】
したがって、封印結合部１２６の切除の形跡を見ることによって、基板ボックス１０２の可動ベース部２０３からの取り外しの事実及びその回数を容易に把握することができる。
【０１２６】
そして、貼付枠１１１ａに貼付された封印履歴記録シートには、履歴情報として、第２封印部を封印した日時及び封印した者の氏名等が記載されるように定められている。したがって、シートの記載内容と、封印結合部１２６の切除の形跡を見比べることで、基板ボックス１０２の不正な取り外しがなされていないかを容易に判断することができる。
【０１２７】
本実施の形態では、第２封印部において、複数ある封印部分の何れを使用するかは予め順番が定められており、例えば左側から右側に向かって順に１つずつ封印が行われる。
【０１２８】
これらの第１封印部及び第２封印部は、主制御装置１０１の台座装置２０１からの不正な取り外し行為等を抑制するためのものであり、例えば本実施の形態では、以下のように使用される。
【０１２９】
まず、スロットマシン１の製造時において、主基板１０３が基板ボックス１０２内に収容されて主制御装置１０１が組み立てられると、一対の第１封印部のうちの一つが封印される。そして、主制御装置１０１が台座装置２０１に装着されると、複数の第２封印部のうちの一つが封印される。
【０１３０】
図２０（ａ）から（ｅ）は封印部材の使用順番を示す説明図である。
次に、封印部材の使用順番の一例を図２０と[表１]の順番表に基づき説明する。
主制御装置１０１の不具合発生や検査等により、主基板１０３を基板ボックス１０２から取り外す場合、主制御装置１０１に対する作業が初回のときは、封印済みの第２封印部の封印が最初に解かれて主制御装置１０１が台座装置２０１から取り外され、次いで封印済みの第１封印部の封印が解かれて主基板１０３が基板ボックス１０２から取り外される。
【０１３１】
【表１】
2010252978.tif 000003
【０１３２】
主基板１０３の修理や点検等が終了すると、主基板１０３が基板ボックス１０２内に収容されて主制御装置１０１が組み立てられ、かかる主制御装置１０１が台座装置２０１に装着される。そして、取外作業により封印結合部１２６が切除された第２封印部とは別の第２封印部が封印される。
【０１３３】
この第２封印部の封印により、基板ボックス１０２は、可動ベース部２０３に固定される。また、かかる第２封印部の封印状態では、基板ボックス１０２を可動ベース部２０３から取り外すことができないので、基板ボックス１０２を主基板ケース上１１０と主基板ケース下１２０に分解することもできない。したがって、結果として主基板ケース上１１０と主基板ケース下１２０との結合状態が維持され、基板ボックス１０２内に主基板１０３が封印されていることとなる。
【０１３４】
そして、次に主基板１０３を基板ボックス１０２から取り外す場合など、主制御装置１０１に対する作業が２回目以降のときは、封印済みの第２封印部の封印が解かれて、基板ボックス１０２と可動ベース部２０３との封印結合が解除され、主制御装置１０１を台座装置２０１から取り外すことができる。
【０１３５】
主制御装置１０１が台座装置２０１から取り外されると、主基板ケース上１１０と主基板ケース下１２０とを相対的に上下に移動させることが可能となり、基板ボックス１０２を主基板ケース上１１０と主基板ケース下１２０に分解して、主基板１０３を取り外すことができる。
【０１３６】
そして、主基板１０３の修理や点検等が終了すると、上述のように取外作業により封印結合部１２６が切除された第２封印部とは別の第２封印部が封印される。
【０１３７】
上記封印及び封印解除の繰り返しにより、全ての第２封印部（例えば第２封印部Ｂ、Ｃ、Ｄ、Ｅ）の封印結合部１２６が切除された場合には、一対の第１封印部のうちの他方の第１封印部（例えば第１封印部Ｆ）が封印され、スロットマシン１の製造元等に発送される。スロットマシン１の製造元等では、第１封印部の封印を解いて基板ボックス１０２を主基板ケース上１１０と主基板ケース下１２０に分解し、主基板１０３を取り出して基板ボックス１０２を交換し、第１封印部のうちの一つを封印して発送元に返送する。
【０１３８】
なお、本発明は、主基板ケース上１１０と主基板ケース下１２０が接合する隙間ｃをこじ開けても、その隙間ｃ部分は撓み、またはその部分が変形するだけで、封印結合部材１３０を外すことができない構造であれば、上述した実施例に限定されず、本発明の要旨を逸脱しない範囲で種々変更できることは勿論である。
【０１３９】
以下、上述した実施の形態から抽出される発明群の特徴について、必要に応じて効果等を示しつつ説明する。
遊技機Ａ１．
従来のスロットマシンは、正面側が開放された箱状の筐体と、その筐体の開放部分を閉塞する前面扉を備えている。前面扉は、前面扉の基端が筐体の左端部に支持されており、上下に延在する中心軸線を中心として水平に揺動させることによって横開きし、筐体の正面側を開閉できるようになっている。スロットマシンの筐体内には、台座装置と主制御装置とが設けられている。
【０１４０】
図２１のスロットマシンに備えられた主基板ユニットを示す分解斜視図である。
この図示例のように、台座装置１００１は、筐体において固定ベース部１００２と、この下端部を回動中心として上下方向に回動できるように固定ベース部１００２に支持された可動ベース部１００３とを有している。可動ベース部１００３に、主制御装置１００４を収容した基板ボックス１００５が脱着自在に保持されている。これにより、例えば立ち入り検査時や主基板（回路基板）１００６の交換時に、基板ボックス１００５の脱着作業を容易なものとしている。
【０１４１】
主制御装置１００４は、スロットマシンの動作制御の中で最も重要な遊技動作の制御を行う主基板１００６を有しており、その主基板１００６に外部から容易に触れることができないように基板ボックス１００５に封入した形で収容している。
【０１４２】
主基板１００６は、矩形の平板形状を有しており、ネジ等によって基板ボックス１００５内に固定されている。基板ボックス１００５は、主基板１００６を収容可能な主基板ケース上１００７と主基板ケース下１００８とからなる略扁平の箱形状を有しており、基板ボックス１００５内の主基板１００６を外部から視認できる透過性の合成樹脂製材料によって形成されている。
【０１４３】
主基板ケース上１００７の封印用の封印結合部１００９と主基板ケース下１００８の封印用の封印結合部１００９に主基板ケース上１００７から封印用の封印結合ピン１０１０を装着することにより封印結合部１００９を構成する。主基板ケース上１００７と主基板ケース下１００８を互いに封印結合するようになっている。この封印結合ピン１０１０は、同軸上に連続する主基板ケース上１００７の封印結合部１００９と主基板ケース下１００８の封印結合部１００９に装着することによって主基板ケース上１００７と主基板ケース下１００８との相対的な上下移動を禁止し、装着後は取り外して再利用することが不可能な構成を有している。
【０１４４】
このように構成されたスロットマシンでは、主基板１００６は大当たりの抽選も行っているため、適正な主基板１００６を不正な制御基板に交換して正規のプログラムから不正なプログラムヘ変更し、大当たりを頻発させ、コインを大量に獲得するといった不正行為が行われている。
【０１４５】
このような遊技の制御内容の不正な変更を防止するために、上述したように主制御装置１００１では主基板１００６をプラスチック製の主基板ケース上１００７と主基板ケース下１００８との基板ボックス１００５に封入した形で収容し、外部から主基板１００６に触れることができないようにした技術が知られている。また、この技術では、主基板ケース下１００８から主基板ケース上１００７を強引に外すと、封印結合ピン１０１０の頭部又は軸部が折れたりしてその痕跡が残るようになり、不正な改造が容易に判別できるようになっている。
【０１４６】
このような遊技の制御内容の不正な変更を防止する技術として、上述した特許文献１の「制御基板ユニット」に示すように、制御基板と、制御基板を封止する第１ボックス構造および第２ボックス構造と、第１ボックス構造と一体に形成され、または、第１ボックス構造に固定される第１固定部材と、第２ボックス構造に固定され、第１固定部材の係り合い部にフックされるフック部を有する第２固定部材と、前記第１固定部材および第２固定部材を覆うカバー部材とを含む制御基板ユニットが提案されている。
【０１４７】
特許文献１の「制御基板ユニット」によれば、遊技機を制御する制御基板を第１ボックスと第２ボックスで収容し、それを結合部材などで封印し、開封するとケースには開封の痕跡が残る。即ち、基板ボックス内側に固定部材があり、基板ボックスの一部を破壊することで固定部材が触れるようになり、基板ボックスの連結を解除できるようになる。そのため、基板ボックスの一部の破壊が開封の痕跡として残るようになっている。
【０１４８】
図２２は従来の主基板ユニットを示し、（ａ）は部分正面図、（ｂ）はＡ−Ａ線拡大断面図である。図２３（ａ），（ｂ），（ｃ），（ｄ），（ｅ），（ｆ）は従来の主基板ユニットから封印結合ピン１０１０を不正に外す状態を示す動作説明断面図である。
主基板ケース上１００７と主基板ケース下１００８が接合する隙間ｃをこじ開ける状態について説明する。不正に主基板ケースをこじ開けるときは、図２３（ａ）、（ｂ）に示すように、主基板ケース上１００７と主基板ケース下１００８が接合する封印結合部１００９の隙間ｃに、マイナスドライバー、ナイフのような先端が鋭利な工具ｔを差し込み、この隙間ｃを徐々に拡げていくことができる。
【０１４９】
従来のような封印結合部１００９と封印結合ピン１０１０の構成では、隙間ｃの拡がりにより、封印結合ピン１０１０の抜け止め１０１０ａも図２３（ｃ）から（ｄ）に示すように、封印結合部１００９内の円縁部１００９ａから外れるやすい。
更に、工具ｔを倒して隙間ｃを拡げると、図２３（ｅ）から（ｆ）に示すように、封印結合ピン１０１０を抜き取ることができる。このように従来の構造は、主基板ケース上下１００７、１００８の封印結合部１００９の隙間ｃをこじ開けることで、封印結合ピン１０１０を抜き取りやすいという問題を有していた。
【０１５０】
本発明は、かかる問題点を解決するために創案されたものである。すなわち、本発明の目的は、基板ケース同士が接合する隙間をこじ開けても結合ピンを外すことができない構造に成る遊技機を提供することにある。
【０１５１】
遊技機Ａ１は、遊技機に備えられる第１部材と、
前記第１部材にスライドして装着される第２部材と、
前記第１部材に設けられた第１封印結合部と、前記第２ケース部材に設けられた第２封印結合部と、
前記第１封印結合部と第２封印結合部に、前記スライドして装着する方向と交差する方向に挿入して、前記第１部材と第２部材を結合する封印結合部材と、を備え、
前記封印結合部材は、前記第１部材と第２部材を結合するが、前記第１封印結合部又は第２封印結合部は、その一方のみで該封印結合部材の挿入方向及び抜き取り方向の移動を規制する構造にした、ことを特徴とする遊技機。
【０１５２】
遊技機Ａ２は、基板を収納し、外部から該基板を視認可能な基板ボックスを有する遊技機であって、
前記遊技機の筺体内に着脱自在に支持された、前記基板ボックスを構成する第１ケース部材及び第２ケース部材と、
前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、
前記第１ケース封印結合部と第２ケース封印結合部に、前記スライドして装着する方向と交差する方向に挿入して、前記第１ケース部材に第２ケース部材を結合する、軸部に係止構造を具備する封印結合部材と、を備え、
前記封印結合部材は、前記第１ケース部材と第２ケース部材を結合するが、前記第１ケース封印結合部又は第２ケース封印結合部は、その一方の封印結合部材挿通孔のみで該封印結合部材の軸部の係止構造により、該封印結合部材の挿入方向及び抜き取り方向の移動を規制する構造にした、ことを特徴とする遊技機。
【０１５３】
遊技機Ａ３は、基板を収納し、外部から該基板を視認可能な基板ボックスを有する遊技機であって、
前記遊技機の筺体内に着脱自在に支持された、前記基板ボックスを構成する第１ケース部材及び第２ケース部材と、
前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、
前記第１ケース封印結合部と第２ケース封印結合部に、前記スライドして装着する方向と交差する方向に挿入して、前記第１ケース部材に第２ケース部材を結合する封印結合部材と、を備え、
前記封印結合部材は、前記第１ケース部材と第２ケース部材とを結合するが、前記第１ケース封印結合部又は第２ケース封印結合部は、その一方の封印結合部材挿通孔に形成した係止構造のみで該封印結合部材の挿入方向及び抜き取り方向の移動を規制する構造にした、ことを特徴とする遊技機。
【０１５４】
遊技機Ａ４は、基板を収納し、外部から該基板を視認可能な基板ボックスを有する遊技機であって、
前記遊技機の筺体内に着脱自在に支持された、前記基板ボックスを構成する第１ケース部材及び第２ケース部材と、
前記第１ケース部材に第２ケース部材をスライドして接合した状態で、該第１ケース部材に設けられた封印結合部材挿通孔を有する第１ケース封印結合部と、該第１ケース封印結合部に連通する第２ケース部材に設けられた封印結合部材挿通孔を有する第２ケース封印結合部と、
前記第１ケース封印結合部と第２ケース封印結合部に、前記スライドして装着する方向と交差する方向に挿入して、前記第１ケース部材に第２ケース部材を結合する、軸部の係止爪と頭部とを形成した封印結合部材と、を備え、
前記封印結合部材は、前記第１ケース部材と第２ケース部材とを結合するが、前記第１ケース封印結合部又は第２ケース封印結合部は、その一方の封印結合部材挿通孔のみで該封印結合部材の係止爪と頭部により、該封印結合部材の挿入方向及び抜き取り方向の移動を規制する構造にした、ことを特徴とする遊技機。
【０１５５】
このような構成の遊技機Ａ１，Ａ２，Ａ３，Ａ４では、第１ケース封印結合部（第１部材封印結合部）と第２ケース封印結合部（第２部材封印結合部）とに挿入するピン等の封印結合部材は、第１ケース部材（第１部材）に第２ケース部材（第２部材）を結合する機能は奏するが、第１封印結合部又は第２封印結合部の一方のみで固定されているため、その封印結合部の隙間に工具を差し込んでこじ開けても、この隙間部分は撓み、あるいは変形するが、封印結合部材を外すことができない。
【０１５６】
遊技機Ａ５は、前記封印結合部材は、その頭部の一部に複数の舌片状の部材を突出形成した脆弱部を設け、該脆弱部は前記封印結合部材が係止されていない第１ケース封印結合部又は第２ケース封印結合部で破壊されるように構成した、ことを特徴とするＡ４に記載の遊技機。
【０１５７】
このような構成の遊技機Ａ５では、ピン等の封印結合部材の頭部等に脆弱部を形成したものは、基板ボックス（第１ケース部材と第２ケース部材）をこじ開けるときに、封印結合部材の脆弱部が第１ケース部材又は第２ケース部材により破損する。
【０１５８】
遊技機Ｂ１.
図２１に示したように、主基板ケース上１００７と主基板ケース下１００８に設けた封印結合部１００９では、この封印結合部１００９の裏側からアクセスできるため封印結合ピン１０１０が抜き取られやすかった。この封印結合部１００９から封印結合ピン１０１０を抜き取ると、主基板ケース１００７，１００８のスライド部が外れる。そこで、不正に主基板１００６を交換、改変しようとする者は、複数の中古機等から破壊されていない基板ケースを取り出して、取り出した主基板ケース１００７，１００８を組み合わせて新規の封印構造を作っている。即ち、２台（２個）の中古機を分解して、１台（１個）の制御基板（制御基板ケース）を作り出す、いわゆる「２個１」という不正な改造をしている。
【０１５９】
従来の主基板ケース１００７，１００８は、図２１に示したように、封印結合部１００９の位置が主基板ケース１００７，１００８の上方側にあるために、主基板ケース下１００８と可動ベース部１００３側の合わせ部の隙間からこじ開けた時に、封印結合部１００９が引っ張られ、封印結合ピン１０１０が抜けやすいという問題を有していた。
【０１６０】
また、特許文献１の「制御基板ユニット」では、結合された両ボックス構造の一つから、第２ボックス構造の破壊可能部を壊して、破壊の痕跡がない第１ボックス構造を取り出し、もう一つの両ボックス構造から第１ボックスを破壊して第１ボックスに設けられたフック部を外すことによって、破壊の痕跡がない第２ボックス構造を取り出す。そして、それら取り出した第１及び第２のボックス構造を組み令わせることで破壊の痕跡のないボックス構造を作りあげることができる。そして、不正な基板を痕跡のないボックス構造に収容して、遊技場に設置してある遊技機の基板をケースごと取り換え、痕跡を残さず不正な基板に取り換えることができるという問題を有していた。
【０１６１】
本発明は、かかる問題点を解決するために創案されたものである。すなわち、本発明の目的は、複数の部材を結合する封印結合部材の少なくとも一部に破壊されやすい脆弱部を形成することで、中古機から基板ケース等の複数の部材を取り出し、それらを組み合わせる不正を防ぐことができる遊技機を提供することにある。
【０１６２】
遊技機Ｂ１は、遊技機に備えられる第１部材と、
前記第１部材に装着される第２部材と、
前記第１部材に設けられた第１封印結合部、及び前記第２ケース部材に設けられた第２封印結合部と、
前記第１封印結合部及び第２封印結合部に挿入して、前記第１部材と第２部材を結合すると共に、少なくとも一部に硬化樹脂材が付着した脆弱部が形成された封印結合部材と、を備えた、ことを特徴とする遊技機。
【０１６３】
尚、本発明における「少なくとも一部に硬化樹脂材が付着した脆弱部」とは、少なくとも一部に硬化樹脂材が付着した部位であって硬化樹脂材を封印結合部材から取り除こうとした場合に破損し易いように脆弱に形成された部位をいう。このため、脆弱部以外の部位に比較して薄肉または細幅に形成される等して設計段階において不正等の外力による破損を予定した部位であって当該部位の少なくとも一部または全体に硬化樹脂材が付着した場合における当該部位は本発明における脆弱部に含まれる。また、薄肉または細幅に形成される等して破損を予定した部位自体には硬化樹脂材が付着していない場合であっても当該部位の両側が硬化樹脂材で接続される等して硬化樹脂材を封印結合部材から取り除こうとした場合に破損し易く形成した部位を予め設けた場合における硬化樹脂材が付着した部位も本発明における脆弱部に含まれる。
【０１６４】
遊技機Ｂ２は、基板を収納し、外部から該基板を視認可能な基板ボックスを有する遊技機であって、
前記遊技機の筺体内に着脱自在に支持された、前記基板ボックスを構成する第１ケース部材及び第２ケース部材と、
前記第１ケース部材と第２ケース部材とを結合した状態で、該第１ケース部材に設けられた、封印結合部材挿通孔を有する第１ケース封印結合部と、
該第１ケース封印結合部に連通する第２ケース部材に設けられた封印結合部材挿通孔を有する第２ケース封印結合部と、
前記第１ケース封印結合部と第２ケース封印結合部とに挿入して、前記第１ケース部材と第２ケース部材とを結合すると共に、少なくとも一部に硬化樹脂材が付着した脆弱部が形成された封印結合部材とを備えた、ことを特徴とする遊技機。
【０１６５】
このような構成の遊技機Ｂ１、Ｂ２では、第１ケース部材（第１部材）と第２ケース部材（第２部材）とを結合する際に、この第１ケース封印結合部（第１部材封印結合部）と第２ケース封印結合部（第２部材封印結合部）とに挿入するピン等の封印結合部材に脆弱部が形成され、脆弱部の少なくとも一部には硬化樹脂材が付着しているので、複数の中古機等から基板ボックス（第１ケース部材と第２ケース部材）及び封印結合部材のそれぞれを取り出すときに封印結合部材の脆弱部に付着した硬化樹脂材を除去しようとすると脆弱部が破損し易く、その痕跡が残り易い。そのため、複数の部材を組み合わせて痕跡のない封印構造を作るという不正を防ぐことができる。
【０１６６】
第２ケース封印結合部の凹部等の所定部位に硬化樹脂材を塗布又は充填して、封印結合部材の頭部等を被覆しているために、この除去できなくて残った硬化樹脂材に対して再度、硬化樹脂を流し込んでも、硬化樹脂材の界面ができるため、その違いが分かりやすい。
【０１６７】
遊技機Ｂ３は、前記封印結合部材は軸部に係止爪を、頭部に破断し易い脆弱部を備え、
前記脆弱部は、前記封印結合部材の頭部に複数の舌片状の部材を突出形成したものである、ことを特徴とするＢ１又はＢ２に記載の遊技機。
【０１６８】
遊技機Ｂ４は、前記第１ケース封印結合部と第２ケース封印結合部とを結合した状態で、該第１ケース封印結合部と第２ケース封印結合部の各封印結合部材挿通孔に段差が形成されるように、該第１ケース封印結合部の封印結合部材挿通孔の内径を、該第２ケース封印結合部の封印結合部材挿通孔の内径より短く形成した、ことを特徴とするＢ２又はＢ３に記載の遊技機。
【０１６９】
遊技機Ｂ５は、前記第１ケース部材と第２ケース部材における下部位置に、前記第１ケース封印結合部と第２ケース封印結合部をそれぞれ形成した、ことを特徴とするＢ２又はＢ３に記載の遊技機。
【０１７０】
遊技機Ｂ６は、前記第１ケース封印結合部と第２ケース封印結合部とに差し込んだ前記封印結合部材の係止手段が露出しないように、該第２ケース封印結合部に遮蔽部を形成した、ことを特徴とするＢ２、Ｂ４又はＢ５に記載の遊技機。
【０１７１】
このような構成の遊技機Ｂ６では、第１ケース封印結合部に形成した遮蔽部は、基板ボックス（第１ケース部材）の第１ケース封印結合部と第２ケース封印結合部とに差し込んだ封印結合部材の係止手段を露出させないので、封印結合部材の軸部からの不正な取り外しが困難になる。
【０１７２】
遊技機Ｂ７は、前記第２ケース封印結合部は、前記封印結合部材が軸部方向を中心に回動しないように、その中心点で点対称にならない不定形な形状である、ことを特徴とするＢ２、Ｂ３、Ｂ４、Ｂ５又はＢ６に記載の遊技機。
【０１７３】
遊技機Ｂ８は、前記封印結合部材の頭部に形成された各脆弱部は、前記第２ケース封印結合部の不定形な内壁形状に隙間なく沿うように、該封印結合部材の軸部方向の中心点で点対称にならない不定形な形状に突出形成した、ことを特徴とするＢ２、Ｂ３、Ｂ４、Ｂ５、Ｂ６又はＢ７に記載の遊技機。
【０１７４】
遊技機Ｂ９は、前記封印結合部材の脆弱部は、前記凹部の内壁形状に沿うように、該封印結合部材の頭部中心から放射するように数個形成したものである、ことを特徴とするＢ８に記載の遊技機。
【０１７５】
遊技機Ｂ１０は、前記第２ケース部材の第２ケース封印結合部に、前記封印結合部材の頭部を硬化樹脂材を充填する凹部を形成した、ことを特徴とするＢ２に記載の遊技機。
【０１７６】
このような構成の遊技機Ｂ１０では、第２ケース封印結合部の凹部等の所定部位に硬化樹脂材を塗布又は充填して、封印結合部材の頭部等を被覆しているために、この除去できなくて残った硬化樹脂材に対して再度、硬化樹脂を流し込んでも、硬化樹脂材の界面ができるため、その違いが分かりやすい。
【０１７７】
遊技機１、Ａ１〜Ａ５、Ｂ１〜Ｂ１０のいずれかにおいて、前記遊技機はスロットマシンであることを特徴とする遊技機である。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１７８】
遊技機１、Ａ１〜Ａ５、Ｂ１〜Ｂ１０のいずれかにおいて、前記遊技機はパチンコ遊技機であることを特徴とする遊技機である。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードヘ書き込まれるデータ等も含む）が付与されるものが挙げられる。
【０１７９】
遊技機１、Ａ１〜Ａ５、Ｂ１〜Ｂ１０のいずれかにおいて、前記遊技機はパチンコ遊技機とスロットマシンとを融合させたものであることを特徴とする遊技機である。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手投（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【産業上の利用可能性】
【０１８０】
本発明の遊技機は、主にスロットマシン、パチンコ、パロットの遊技機に利用することができるが、不正操作されやすい制御基板、基板を収容するものであればこれ以外の様々な機器に利用することができる。
【符号の説明】
【０１８１】
１  スロットマシン（遊技機）
２  筐体
３  前面扉
８１  中継基板
１００  主基板ユニット
１０１  主制御装置
１０２  基板ボックス
１０３  主基板（回路基板）
１１０  主基板ケース上
１１５  封印結合部
１１６  連結部材
１２０  主基板ケース下
１２１  底板部
１２４  封印結合部
１２５  連結部材
１２６  封印結合部
Ｘ  袋状構造（封印結合部１１５）
Ｙ  舌片状構造（封印結合部１２４）
Ｌ１  主基板ケース上の封印結合部の内径
Ｌ２  主基板ケース下の封印結合部の内径
Ｌ３  封印結合部材における軸部と頭部と連結部分の外径
Ｌ４  封印結合部材の変形例における封印結合部と脆弱部との隙間間隔
１２７  連結部材
１３０  封印結合部材
１３０１  軸部
１３０２  係止爪
１３０３  頭部
１３０４  脆弱部
１３０５  切込み
１３０６  段差部
１１０ａ  遮蔽部
Ｒ  紫外線硬化性樹脂材
１３１  二重封印結合外部材
１３１１  筒部
１３１２  頭部
１３１３  係止爪
１３１４  抜止め用切込み
１３１５  突条
１３１６  スリット
１３２  二重封印結合内部材
１３２１  軸部
１３２２  係止爪
１３２３  頭部
１３２４  突条
２０１  台座装置
２０２  固定ベース部
２０３  可動ベース部
２９０  封印結合部
【図１】
2010252978.tif 000004
【図２】
2010252978.tif 000005
【図３】
2010252978.tif 000006
【図４】
2010252978.tif 000007
【図５】
2010252978.tif 000008
【図６】
2010252978.tif 000009
【図７】
2010252978.tif 000010
【図８】
2010252978.tif 000011
【図９】
2010252978.tif 000012
【図１０】
2010252978.tif 000013
【図１１】
2010252978.tif 000014
【図１２】
2010252978.tif 000015
【図１３】
2010252978.tif 000016
【図１４】
2010252978.tif 000017
【図１５】
2010252978.tif 000018
【図１６】
2010252978.tif 000019
【図１７】
2010252978.tif 000020
【図１８】
2010252978.tif 000021
【図１９】
2010252978.tif 000022
【図２０】
2010252978.tif 000023
【図２１】
2010252978.tif 000024
【図２２】
2010252978.tif 000025
【図２３】
2010252978.tif 000026